(57)【要約】      （修正有）【課題】低コストで美観が良く、会葬御礼品や挨拶状やお清め等を一つのケースにまとめて収納可能な会葬御礼品収納ケースを開発・提供する。【解決手段】収納ケースの外面部を透明シートで二重又は三重にし、その二重又は三重にした外面部の一辺に、挿入部を形成し、挿入部より装飾紙や会葬御礼用ハガキ等を収納可能にしたものである。又、収納ケースは、透明シート外面部の、片方、又は、両方に形成して設けた。【選択図】図３
0003133661.tif 000002
【実用新案登録請求の範囲】
【請求項１】
収納ケースにおいて、該収納ケース（１）の外面部を透明シート（１ｆ）で二重又は三重にし、その二重又は三重にした外面部の一辺に、挿入部（Ｘ）を形成し、該挿入部（Ｘ）より装飾紙（ＤＰ）や会葬御礼用ハガキ（ＰＣ）等を収納可能にした事を特徴とする収納ケース。
【請求項２】
収納ケースは、透明シート（１ｆ）外面部の、片方又は両方に形成して設けた事を特徴とする請求項１記載の収納ケース。
【考案の詳細な説明】
【技術分野】
【０００１】
この考案は、収納ケースに関するものである。
【背景技術】
【０００２】
従来、会葬後には、喪主から会葬御礼及び即日返し（香典返し）の挨拶状とお清め（塩）及びハンカチ・祝儀袋等が手渡される事が多い。
【０００３】
この際、ハンカチ・祝儀袋はボール紙等で作った薄形のケース内に収納し、外装紙で包装した例が多く、挨拶状及びお清めはそのままバラバラで手渡される例が多く、手渡す方も手間が掛かり、費用も割高になる。
【０００４】
従って、葬儀等では会葬者に対しての会葬御礼品は、極力荷物にならない、手軽でコンパクトな会葬御礼品収納ケースに収納して手渡す事が望まれる。
【０００５】
これまでに出願されている会葬御礼セットの特許文献を参考の為、紹介する。（特許文献１〜２参照。）
【特許文献１】登録実用新案第３０８１９７５号
【特許文献２】実用新案公開平６−０１５５８６
【考案の開示】
【考案が解決しようとする課題】
【０００６】
そこで、上記課題を解決する為に、この考案は低コストで美観が良く、会葬御礼品や挨拶状やお清め等を一つのケースにまとめて収納可能な収納ケースを開発・提供する事にある。
【課題を解決するための手段】
【０００７】
この課題を解決する為の手段として、収納ケースの外面部を透明シートで二重又は三重にし、その二重又は三重にした外面部の一辺に、挿入部を形成し、該挿入部より装飾紙や会葬御礼用ハガキ及びご挨拶状等を収納可能にしたものである。
【０００８】
又、収納ケースは、透明シート外面部の、片方又は両方に形成して設けたものである。
【考案の効果】
【０００９】
この考案の効果として、収納ケースの外面部を透明シートで二重又は三重にし、その二重又は三重にした外面部の一辺に、挿入部を形成し、該挿入部より装飾紙や会葬御礼用ハガキ等を収納可能にしたものである。又、収納ケースは、透明シート外面部の、片方又は両方に形成して設けた事で、低コストで美観が良く、会葬御礼品や挨拶状やお清め等を一つのケースにまとめて収納可能に成る等、極めて有益なる効果を奏するものである。
【考案を実施するための最良の形態】
【００１０】
この考案の最良の形態として、収納ケースの寸法形状は、会葬御礼時等に良く使用する祝儀袋や、ハンカチや、靴下等が入る最適な寸法形状を設定し、且つ、材質も安価で美観が良く、外から目視可能で、耐久性・生産性・実用性に優れた透明又は半透明の樹脂製にする事が望ましい。又、収納ケースを一重式或いは二重式又は三重にするかは、使用する用途や状況に合わせて選定すれば良い。
【実施例１】
【００１１】
そこで、この考案の一実施例を図１又は図２に基づいて詳述すると、収納ケースにおいて、該収納ケース（１）の外面部を透明シート（Ｘ）で二重にし、その二重にした外面部の一辺に、挿入部（Ｘ）を形成し、該挿入部（Ｘ）より装飾紙（ＤＰ）や会葬御礼用ハガキ（ＰＣ）等を収納可能にした事を特徴とする収納ケースから構成される。
【００１２】
この考案の詳細について説明すると、まず材質は全て透明又は半透明の樹脂製で、ケース本体部の寸法形状は、縦約１９０ｍｍ×横約１２０ｍｍ×高さ約２５ｍｍの矩形状の箱形状で、一端側面部には収納口（Ｙ）を有し、且つ、収納口側の底面にはケース本体部の上面と側面に適合した寸法形状の開閉蓋（１ｂ）と閉塞板（１ｂ’）とを一体形成し、且つ、ケース本体（１ａ）上面部と開閉蓋（１ｂ）の上面部には、開閉蓋を固着する為、係止部（２ｃ）（２ｄ）をそれぞれ設け、又、ケース本体の収納口（Ｙ）両端部には、ケース内部のものが脱落しない為の、脱落防止蓋（１ｅ）（１ｅ’）をそれぞれ設け、更にケース本体（１ａ）から開閉蓋（１ｂ）間の裏全面に連通した、縦約１９０ｍｍ×横約２６５ｍｍの
収納用挿入部（Ｘ）を設けて、該収納用袋部には、装飾紙（ＤＰ）や会葬御礼用ハガキ（ＰＣ）等を収納出来る様に成っている。
【００１３】
又、収納ケースの開閉蓋（１ｂ）は、図２（Ａ）に示す様に、閉塞板（１ｂ’）部の折り曲げ線（ＦＬ）から折り曲げて、収納ケース上部と開閉蓋上部に設けた係止部（１ｃ）（１ｄ）をそれぞれ係止して固着する。
【００１４】
図３は収納ケース本体に会葬御礼品（例えば祝儀袋（ＧＥ））や装飾紙（ＤＰ）や会葬御礼用ハガキ（ＰＣ）等を収納する時の取り扱い要領を示す斜視図で、（Ｂ）は収納後蓋を閉じた状態を示す斜視図である。
【実施例２】
【００１５】
この考案のその他の事例を説明すると、図４又は図５に示す様に、収納ケース（２）は、箱状ケース本体（２ａ）（２ａ’）を、収納口（Ｙ’）を内側にして左右対称にそれぞれ設け、且つ、中央部に重合したケース本体の高さに適合した閉塞板（２ｂ）を一体形成し、閉時には左右のケース本体上面部を重合し、係止可能にして設け、且つ、左右のケース本体（２ａ）（２ａ’）と閉塞板（２ｂ）の裏全面に透明シート（２ｆ）で二重にした収納用挿入部（Ｘ’）を設け、且つ、使用時はケース本体（２ａ）（２ａ’）内部に、祝儀袋（ＧＥ）や会葬御礼物品（Ｈ）等をそれぞれ収納し、収納用袋部（Ｘ’）に装飾紙（ＤＰ）や会葬御礼用ハガキ（ＰＣ）等を収納可能にした事を特徴とする収納ケースから構成される。
【００１６】
又、実施例２の二重式会葬御礼品収納ケースの寸法形状は、実施例１と同等で、実施例1の開閉蓋部に収納ケースを対称位置に設けて、更に収納品が沢山収納可能にしたもので、実施例１と同様に、収納ケースを閉じた時、固着出来るように左右のケース本体（２ａ）（２ａ’）上面に係止部（２ｃ）（２ｄ）がそれぞれ設けている。
【００１７】
又、二重式会葬御礼品収納ケースの閉塞板（２ｂ）部の高さ寸法は、収納ケースを閉じた時の厚みが、実施例１（一重式会葬御礼品収納ケース）の場合に比較し、２倍に成っている。
【００１８】
又、更に上記二重式透明シートは、目的・用途に応じて三重式或いはそれ以上に増設して多目的な使用方法も可能である。
【産業上の利用可能性】
【００１９】
この考案の会葬御礼品収納ケースは、低コストで美観が良く、会葬御礼品や挨拶状やお清め等を一つのケースにまとめて収納可能な為、多くの一般市場に寄与する点で産業上の利用可能性を有する。
【図面の簡単な説明】
【００２０】
【図１】この考案の一実施例を示し、（Ａ）は一重式会葬御礼品収納ケースの平面図で、（Ｂ）は正面図である。
【図２】この考案の一実施例を示し、（Ａ）は一重式会葬御礼品収納ケースの蓋を開いた時の斜視図で、（Ｂ）は蓋を閉じた時の斜視図である。
【図３】この考案の使用例を示し、（Ａ）は一重式会葬御礼品収納ケースの収納要領を示す斜視図で、（Ｂ）は収納後の蓋を閉じた時の斜視図である。
【図４】この考案のその他の実施例を示し、（Ａ）は二重式会葬御礼品収納ケースの平面図で、（Ｂ）は正面図である。
【図５】この考案のその他の実施例を示し、（Ａ）は二重式会葬御礼品収納ケースの蓋を開いた時の斜視図で、（Ｂ）は蓋を閉じた時の斜視図である。
【符号の説明】
【００２１】
１  収納ケース（一重式）
１ａ  ケース本体
１ｂ  開閉蓋
１ｂ’  閉塞板
１ｃ  係止部
１ｄ  係止部
１ｅ  脱落防止蓋
１ｅ’  脱落防止蓋
１ｆ  透明シート
２  収納ケース（二重式）
２ａ  ケース本体
２ａ’  ケース本体
２ｂ  閉塞板
２ｃ  係止部
２ｄ  係止部
２ｅ  脱落防止蓋
２ｅ’  脱落防止蓋
２ｆ  透明シート
Ｘ  挿入部
Ｘ’  挿入部
Ｙ  収納口
Ｙ’  収納口
ＦＬ  折り曲げ線
ＤＰ  装飾紙
ＧＥ  祝儀袋
ＰＣ  会葬御礼用ハガキ
【図１】
0003133661.tif 000003
【図２】
0003133661.tif 000004
【図３】
0003133661.tif 000005
【図４】
0003133661.tif 000006
【図５】
0003133661.tif 000007